(57)【要約】【課題】持ち手を備えた手荷物の運搬時における重量負担を掌と該掌以外の身体の所定部位とに任意の割合で容易に分散でき、使い勝手の良好な手荷物運搬用補助具の提供を目的とする。【解決手段】上方に開口した断面ほぼＵ字形状の手掛け係止部１に吊り下げ部２が連結され、手掛け係止部１に持ち手が係止された荷物の重量を手掛け係止部１を支える掌と、吊り下げ部２が連結される身体の所定部位とに分散可能に構成する。手荷物の重量は、手荷物の持ち手が係止された手掛け係止部１を支える掌と、吊り下げ部２によって手掛け係止部１を吊り下げる身体の所定部位とに分散されるため、掌に掛かる負担を軽減して楽に運搬することができる。【選択図】  図１
2004215986.tif 000002
【特許請求の範囲】
【請求項１】
上方に開口した断面ほぼＵ字形状の手掛け係止部に吊り下げ部が連結され、
手掛け係止部に持ち手が係止された手荷物の重量を手掛け係止部を支える掌と、吊り下げ部が連結される身体の所定部位とに分散可能な手荷物運搬用補助具。
【請求項２】
前記手掛け係止部は、折り曲げた掌程度の大きさを備えて柔軟な材質により一体成型されて形成され、開口に臨む一端部に吊り下げ部が連結されるとともに、自由端部は手掛け係止部を支える掌により変形を規制可能である請求項１記載の手荷物運搬用補助具。
【請求項３】
前記吊り下げ部は、肩に掛けることのできる連結手段を有し、全長を調整可能に形成される請求項１または２記載の手荷物運搬用補助具
【発明の詳細な説明】
【０００１】
【発明の属する技術分野】
本発明は手荷物運搬用補助具に関するものである。
【０００２】
【従来の技術】
従来、持ち手を備えた手荷物の運搬時において、掌にかかる重量を軽減することのできる手荷物運搬用補助具として、特許文献１に記載されたものが知られている。
【０００３】
この従来例において、手荷物運搬用補助具は、ショルダーベルトの先端部に環状の把持具を連結して形成される。ショルダーベルトを肩に掛け、肩から吊り下げられた把持具を手荷物の持ち手に通してから掌で握って持ち上げると、手荷物をショルダーベルトの肩と掌の中間部分でぶら下げることができ、手荷物の重量は、ショルダーベルトを掛けた肩と把持具を握る掌とで分担される。
【０００４】
【特許文献１】
実開平５−６３３２６号公報
【０００５】
【発明が解決しようとする課題】
しかしながら、上述した従来例は、いわゆる滑車の原理を利用するために、ショルダーベルトが垂直に折り返される通常の歩行姿勢においては肩と掌の重量負担が均等であり、負担比率を変更したい場合には肩と掌の持ち手に対する水平方向の距離を変更する、すなわち、掌を体から離して持ち手を肩か掌のどちらかに偏った位置で吊り下げなければならず、却って運搬しづらくなる。
【０００６】
また、上記従来例は、使用に際して持ち手のループに把持具全体を挿通させる必要があるために、把持具を大きな握りやすい形状に形成すると、持ち手のループが小さな手荷物には使用ができなくなってしまうという欠点を有する。
【０００７】
本発明は、以上の欠点を解消すべくなされたものであって、手荷物の重量負担を掌と該掌以外の身体の所定部位とに任意の割合で容易に分散でき、使い勝手の良好な手荷物運搬用補助具の提供を目的とする。
【０００８】
【課題を解決するための手段】
本発明によれば上記目的は、
上方に開口した断面ほぼＵ字形状の手掛け係止部１に吊り下げ部２が連結され、
手掛け係止部１に持ち手が係止された荷物の重量を手掛け係止部１を支える掌と、吊り下げ部２が連結される身体の所定部位とに分散可能な手荷物運搬用補助具を提供することにより達成される。
【０００９】
本発明によれば、手荷物運搬用補助具は、手荷物の持ち手を係止可能な手掛け係止部１と、身体の所定部位に連結可能な吊り下げ部２とを連結して構成される。手荷物の重量は、手荷物の持ち手が係止された手掛け係止部１を支える掌と、吊り下げ部２によって手掛け係止部１を吊り下げる身体の所定部位とに分散されるため、掌に掛かる負担を軽減して楽に運搬することができる。
【００１０】
吊り下げ部２は、身体への連結手段と手掛け係止部１の吊下手段とを備えるもの、例えば、肩に掛けることができるショルダーベルトや、腰に巻回されるベルトに係止可能な係止具などにより構成することが可能である。肩や腰等の身体の所定部位とその下方で手掛け係止部１を支える掌とに分散された手荷物の重量は、掌による支え具合を変えることで姿勢をほとんど変化させずに負担比率を変更することができる。また、腰の側方や肩などの腕の長手方向に沿った位置から手掛け係止部１を吊り下げることで、通常の歩行姿勢における掌の位置に手掛け係止部１を配置することができる。さらに、手荷物の持ち手を保持する手掛け係止部１自体を掌で支えるため、運搬時に手荷物が身体にぶつかることはない。
【００１１】
手掛け係止部１は、上方に開口した断面ほぼＵ字形状に形成され、開口に持ち手を落とし込むことにより持ち手に係止する。この手掛け係止部１の開口の入り口は、所定幅に固定してしまってもよいが、柔らかい材質で手掛け係止部１を形成して拡大変形可能にした場合には、径の大きな持ち手であっても手掛け係止部１に容易に挿入することができる。また、手掛け係止部１は、掌で支えやすいようにＵ字形状の底部の幅を掌程度にするとともに、持ち手を安定して保持できるようにＵ字形状の一対の縦壁を同じ高さにすることが望ましい。
【００１２】
手掛け係止部１と吊り下げ部２との連結は、例えば手掛け係止部１のＵ字形状の両端部に吊り下げ部２を着脱可能に連結してもよいが、手掛け係止部１の開口を臨む一端部３に吊り下げ部２を連結することで、持ち手を容易に手掛け係止部１に係脱することができる。この場合、前述したように手掛け係止部１を柔軟に形成すると、手荷物が重いときに吊り下げ部２が連結されていない自由端部４が変形して開口が拡大してしまう可能性があるが、この側方への自由端部４の変形は手掛け係止部１を支える掌により楽に規制することができる。なお、かかる掌による変形規制を容易にするために、手掛け係止部１は掌で挟み、あるいは握りやすいように折り曲げた掌程度の大きさに形成することが望ましい。
【００１３】
【発明の実施の形態】
図１に本発明の実施の形態を示す。この実施の形態において、手荷物運搬用補助具は、ショルダーベルト（吊り下げ部２）の下端に手掛け係止部１を連結して形成される。
【００１４】
ショルダーベルト２は、ポリプロピレンやアクリル等からなる適宜長さの帯状のベルト材の一端部を手掛け係止部１に、他端部を長さ調整具６に固定して形成される。長さ調整具６は正面視日の字形状の枠体からなる周知のものであり、中央の棒状部にベルト材の端部を固定するとともに、該ベルト材を適宜箇所で折り返して前記棒状部を跨いで長さ調整具６内を通過させることにより、折り返し部分に肩に巻回可能な閉ループ（連結手段５）をつくる。ベルト長は、長さ調整具６によって閉ループ５の大きさを拡縮させることで調整することができ、閉ループ５が小さいときは全長が長く、閉ループ５が大きいときは短くなる。また、図１において７は肩当てであり、軟質樹脂等でベルト材よりやや幅広の矩形状に形成され、長手方向両端部近傍に開設される孔にベルト材が挿通されることによりベルト材の肩に当接する内面側でクッション材兼滑り止めとして機能する。なお、図１および図２において手掛け係止部１の近傍に形成される×印はベルト材の縫製状態を示すものである。
【００１５】
手掛け係止部１は、図２（ａ）に示すように、上方に開口した断面ほぼＵ字形状、より正確には頂部を開口させた縦方向に長寸の略楕円形状に形成され、外方に向かってなだらかな円弧状をなす両縦壁８、８が近接する上部近傍に上述したベルト材が挿通可能なベルト挿通孔９、９が開設される。開口を境に左右対称なＵ字形状をなす縦壁８、８間の開口の幅は、底部となる下方から高さ方向中間部まで上方に行くにつれて幅方向に拡大し、中間部から開口部１０近傍の上端部に向かって漸次縮小する。また、図２（ａ）に示すように、ベルト挿通孔９が外方に向かって斜め上方に開設されることにより、一方のベルト挿通孔９にショルダーベルト２を挿通させて手掛け係止部１を吊り下げたときにも、ショルダーベルト２が連結される手掛け係止部１のＵ字形状の一端部３に対して他端の自由端部４を水平方向に近い位置に維持することができる。
【００１６】
この手掛け係止部１は、比較的軟質であるが亀裂に強く質感のよいＥＶＡ樹脂（エチレン酢酸ビニル供重合体）の一体成型により形成される。図２（ｂ）に示すように、正面視における手掛け係止部１は、一般的な掌の幅に近い９０ｍｍの底辺から上方の開口部１０に向かって漸次幅狭となる台形形状であり、上辺が底辺の半分以下の４０ｍｍであるために開口部１０を拡縮するように容易に変形可能である。また、上辺から底辺までの高さは７０ｍｍであるため、縦壁８は、正面視において丁度掌の半分程度の大きさとなる。さらに、前述したベルト挿通孔９が水平方向に長い略矩形状に開設されることにより、手掛け係止部１は、ショルダーベルト２で吊り下げたときに水平姿勢を維持する。なお、図２（ｂ）において１１は滑り止めのための凹部である。
【００１７】
したがって、この実施の形態において、ショルダーベルト２の閉ループ５を一方の肩に巻回して脇の下から垂直方向に手掛け係止部１を吊り下げ、長さ調整具６によってショルダーベルト２の長さを適宜調整すると、手掛け係止部１を下方に伸ばした腕の掌の位置に配置することが可能となる。手荷物を運搬する際には、この状態で手掛け係止部１のショルダーベルト２が連結されていないＵ字形状の自由端部４を外方に引っ張って開口部１０を拡大させ、手荷物１２の持ち手１２ａを大きく開いた開口部１０から手掛け係止部１に挿入すればよく、持ち手１２ａは手荷物１２の重さにより手掛け係止部１の底部に係止し、手荷物１２は肩から吊り下げられた状態となる。
【００１８】
この後、図３に示すように、ショルダーベルト２を９０度ねじって手掛け係止部１を体側に沿う平行方向に配置し、手掛け係止部１の下方から掌をあてがって手掛け係止部１を支えると、手荷物１２の重量はショルダーベルト２が巻回された肩と、手掛け係止部１を支える掌とに分散される。この状態で手掛け係止部１を支える掌を折り曲げると、手掛け係止部１の縦壁８、８が楕円状に形成されるために、自然と掌のほぼ全面を手掛け係止部１に密着させることができる。
【００１９】
したがって、掌が負担する手荷物１２の重量は軽減されるため、手荷物１２を楽に運搬することができる。また、掌による重量負担はそのままの姿勢で調整できるため、例えば疲れた場合には肩のみで手荷物１２の垂直荷重を負担することも可能であり、長時間の運搬でも疲れることはない。さらに、手掛け係止部１を掌で軽く握り込む、あるいは掌で挟むことにより、ショルダーベルト２に沿って垂直方向に開く手掛け係止部１の開口部１０を容易に閉塞させることができ、より安定して手荷物１２を運搬することができる。加えて、持ち手１２ａが細い場合であっても、手掛け係止部１を介して支えるために、掌に持ち手１２ａが食い込むことはない。
【００２０】
一方、歩行に際しては、肩当て７により肩に巻回されたショルダーベルト２に案内されて、肩を中心に体側で振り子状に前後する腕に手掛け係止部１、すなわち持ち手１２ａがガイドされるため、ショルダーベルト２が捻れることがなく、手荷物１２が体に当たることはない。また、脇の下から垂直方向に手掛け係止部１を吊り下げるために、例えば上着の下に手荷物運搬用補助具を装着した場合には、ファッション性を損ねることもない。
【００２１】
【発明の効果】
以上の説明から明らかなように、本発明によれば、手荷物の重量負担を掌と該掌以外の身体の所定部位とに任意の割合で容易に分散できるため、歩行時に手荷物を楽に運搬することができる。また、手掛け係止部を介して持ち手を支えるため、運搬時に掌に持ち手が食い込むことを防止することができる。
【図面の簡単な説明】
【図１】本発明を示す図で、（ａ）は正面図、（ｂ）は側面図である。
【図２】手掛け保持部を示す図で、（ａ）は図１（ｂ）の２Ａ−２Ａ線断面図、（ｂ）は正面図である。
【図３】本発明の使用状態を示す図である。
【符号の説明】
１  手掛け係止部
２  吊り下げ部
３  一端部
４  自由端部
５  連結手段
【図１】
2004215986.tif 000003
【図２】
2004215986.tif 000004
【図３】
2004215986.tif 000005